(57)【要約】【課題】  ユーザにとって満足度の高いコンテンツを提供すること。【解決手段】  番組情報を記憶した番組情報記憶手段と、この記憶された前記番組情報を所定の出力装置から再生する番組再生手段と、を備えたコンテンツ再生装置であって、複数の番組情報を組み合わせて再生するよう構成されたシナリオ構成データを含むシナリオ情報を記憶するシナリオ情報記憶手段と、シナリオ情報に含まれるシナリオ構成データに基づいて番組情報記憶手段に記憶された番組情報を再生するよう番組再生手段に指示するシナリオ再生手段と、を備えた。【選択図】図１
2006221693.tif 000002
【特許請求の範囲】
【請求項１】
番組情報を記憶した番組情報記憶手段と、この記憶された前記番組情報を所定の出力装置から再生する番組再生手段と、を備えたコンテンツ再生装置であって、
複数の前記番組情報を組み合わせて再生するよう構成されたシナリオ構成データを含むシナリオ情報を記憶するシナリオ情報記憶手段と、
前記シナリオ情報に含まれる前記シナリオ構成データに基づいて前記番組情報記憶手段に記憶された前記番組情報を再生するよう前記番組再生手段に指示するシナリオ再生手段と、
を備えたことを特徴とするコンテンツ再生装置。
【請求項２】
前記シナリオ構成データは、前記各番組情報の一部をそれぞれ組み合わせて再生するよう構成されたデータである、ことを特徴とする請求項１記載のコンテンツ再生装置。
【請求項３】
前記シナリオ構成データは、特定のテーマに基づいて前記複数の番組情報を組み合わせて構成されたデータである、ことを特徴とする請求項１又は２記載のコンテンツ再生装置。
【請求項４】
前記シナリオ情報記憶手段に記憶されるシナリオ情報は、前記シナリオ構成データに基づく前記番組情報の再生に同期して出力される付加データを含み、
前記シナリオ再生手段は、前記番組再生手段に対する再生指示によって当該番組再生手段にて再生される前記番組情報と同期して前記シナリオ情報に含まれる付加データを前記出力装置から出力する、
ことを特徴とするコンテンツ再生装置。
【請求項５】
前記付加データは、前記シナリオ構成データにて特定される前記番組情報の内容に対応したデータである、ことを特徴とする請求項４記載のコンテンツ再生装置。
【請求項６】
前記付加データは、動画データである、ことを特徴とする請求項４又は５記載のコンテンツ再生装置。
【請求項７】
前記シナリオ構成データに基づいて再生されている前記番組情報を指定する番組指定情報の入力を受け付ける番組指定情報受付手段を備えると共に、
前記番組再生手段は、前記番組指定情報受付手段にて受け付けた番組指定情報にて指定される前記番組情報を前記番組情報記憶手段から読み出して当該番組情報のみを前記出力装置から再生する、
ことを特徴とする請求項１，２，３，４，５又は６記載のコンテンツ再生装置。
【請求項８】
前記番組情報を受信して前記番組情報記憶手段に蓄積する番組情報取得手段を備えた、ことを特徴とする請求項１，２，３，４，５，６又は７記載のコンテンツ再生装置。
【請求項９】
前記シナリオ情報記憶手段に記憶されるシナリオ情報は、前記シナリオ構成データに含まれる放送予定の番組を指定する予定シナリオデータを含み、
前記番組情報取得手段は、前記予定シナリオデータに基づいて前記番組情報を所定の番組提供装置から受信して蓄積する、
ことを特徴とする請求項８記載のコンテンツ再生装置。
【請求項１０】
前記請求項１乃至９のいずれかに記載のコンテンツ再生装置と、当該コンテンツ再生装置にネットワークを介して接続された前記シナリオ情報を蓄積すると共に配信するシナリオ配信サーバと、を備えたコンテンツ再生システムであって、
前記コンテンツ再生装置が、前記シナリオ配信サーバから前記シナリオ情報を取得して前記シナリオ情報記憶手段に記憶するシナリオ取得手段を備えた、
ことを特徴とするコンテンツ再生システム。
【請求項１１】
前記シナリオ情報は、前記シナリオ構成データに基づいて再生される内容を説明するシナリオ概要データを含むと共に、
前記シナリオ再生手段は、前記シナリオ概要データを前記出力装置から出力し、
前記シナリオ取得手段は、前記シナリオ概要データと、前記シナリオ構成データ及び前記付加データと、をそれぞれ別々に取得する、
ことを特徴とする請求項１０記載のコンテンツ再生システム。
【請求項１２】
番組情報を記憶した番組情報記憶手段を備え、この記憶された前記番組情報を再生するコンテンツ再生装置に、
前記番組情報を所定の出力装置から再生する番組再生手段と、
複数の前記番組情報を組み合わせて再生するよう構成されたシナリオ構成データを含むシナリオ情報が記憶されたシナリオ情報記憶手段から前記シナリオ情報を読み出して、前記シナリオ構成データに基づいて前記番組情報記憶手段に記憶された前記番組情報を再生するよう前記番組再生手段に指示するシナリオ再生手段と、
を実現するためのコンテンツ再生用プログラム。
【請求項１３】
番組情報を記憶した番組情報記憶手段と、この記憶された前記番組情報を所定の出力装置から再生する制御手段と、を備えたコンテンツ再生装置を用いたコンテンツ再生方法であって、
前記コンテンツ再生装置の制御手段が、
複数の前記番組情報を組み合わせて再生するよう構成されたシナリオ構成データを含むシナリオ情報が記憶されたシナリオ情報記憶手段から前記シナリオ情報を読み出して、前記シナリオ構成データに基づいて前記番組情報記憶手段に記憶された前記番組情報を再生する、
ことを特徴とするコンテンツ再生方法。
【発明の詳細な説明】
【技術分野】
【０００１】
本発明は、コンテンツ再生装置にかかり、特に、番組情報を編集して再生するコンテンツ再生装置に関する。
【背景技術】
【０００２】
近年、ＨＤＤ（ハードディスクドライブ）レコーダーに代表されるテレビ番組録画装置は、ＨＤＤが大容量化により蓄積番組数が増加しており、また、同時に録画可能な番組数も増加傾向にある。そして、全放送局から放送される全番組を常時自動録画し、蓄積する装置までも存在する。このような装置は、現在ではまだ普及していないが、今後一般化していくことが予想される。
【０００３】
一方、従来における蓄積された番組情報の利用方法としては、通常の視聴以外に、番組の要所を切り出して閲覧するダイジェスト視聴や、番組に合わせて解説情報が表示される方法、さらには、過去の番組と現在の番組を合わせて表示する方法、などがある。また、蓄積された番組の検索方法としては、放送局、日時、ジャンルによって分類された番組表を用いる方法や、キーワードによる検索、ユーザの視聴履歴などを元にした嗜好分析による番組推薦機能を用いた方法、などがある。
【０００４】
しかし、自動録画機能を有する番組録画装置では、録画、蓄積される番組は膨大な数（時間）になる。例えば、放送局が６局であり、１週間の番組を蓄積する場合には、６［放送局］×２４［時間］×７［日］＝１００８［時間］、もの番組が保存されることとなる。このため、以下の問題点が生じる。
【０００５】
第１の問題点は、録画、蓄積されたほとんどの番組は、全く視聴されない可能性が高い、ということである。これは、ユーザは蓄積された番組から特定の番組を選択、視聴するものの、全てを視聴することはほとんどありえず、視聴されない蓄積された多くの番組は不要なデータと化してしまい、記録容量などに無駄が生じる。
【０００６】
また、第２の問題点は、ユーザが未知の番組を見つける機会が少ない、ということである。これは、放送をリアルタイムで見る場合は、チャンネルを順次切り替えて探すことで新しい番組を見つけることができるが、蓄積された全番組をこのように探すことは不可能である。また、上記の番組検索の方法では、基本的にユーザが検索条件を設定しているため、全く未知の番組を見つけられる可能性は低くなってしまう。
【０００７】
以上のことから、上記の課題を解決するために、蓄積された番組の新しい利用方法、あるいは、視聴方法が必要とされており、下記の特許文献に示す技術が提案されている。上記課題の一つの手段として、シーン特定情報を簡単に交換する方法が特許文献１に開示されている。これは、ＨＴＭＬページやメールなどの文章中に番組のシーンを特定するための情報（例：放送局名＋放送日時）を特殊なタグで埋め込むことで、文章の作成者は文章に番組のシーンを関連付ける。すると、この文章の閲覧者は、タグ（リンク）をクリックすることで簡単に（番組が閲覧者の端末内に録画されていれば）、作成者が意図した番組のシーンを簡単に視聴することができる。
【０００８】
また、特許文献２，３には、ひとつの番組のあるシーンを特定し、かかるシーンに対して画像やテキストなどの付加データを同期再生するというシナリオを設定する、という技術が開示されている。
【０００９】
【特許文献１】特開２００４−３０３２７号公報
【特許文献２】特開２００１−１６０２３７号公報
【特許文献３】特開２００１−３３９６９１号公報
【発明の開示】
【発明が解決しようとする課題】
【００１０】
しかしながら、上記特許文献に開示されている技術では、一つの番組に対してのみシナリオを設定しており、かかる一つの特定の番組に対する視聴の多様化を図るのみである。例えば、特定の番組のダイジェストを視聴したり、特定の番組の解説が付加情報として出力されるのみである。従って、依然として、録画されたほとんどの番組は、全く視聴されない可能性が高く、ユーザが未知の番組を見つける機会が少ない、という問題が依然として解消されない。
【００１１】
このため、本発明では、多くの番組をユーザに閲覧可能とし、かつ、既存の番組情報を組み合わせて充実化を図り、ユーザにとって満足度の高いコンテンツを提供すること、をその目的とする。
【課題を解決するための手段】
【００１２】
そこで、本発明の一形態であるコンテンツ再生装置は、
番組情報を記憶した番組情報記憶手段と、この記憶された前記番組情報を所定の出力装置から再生する番組再生手段と、を備えたコンテンツ再生装置であって、
複数の番組情報を組み合わせて再生するよう構成されたシナリオ構成データを含むシナリオ情報を記憶するシナリオ情報記憶手段と、
シナリオ情報に含まれるシナリオ構成データに基づいて番組情報記憶手段に記憶された番組情報を再生するよう番組再生手段に指示するシナリオ再生手段と、
を備えたことを特徴としている。
【００１３】
また、シナリオ情報記憶手段に記憶されるシナリオ情報は、シナリオ構成データに基づく番組情報の再生に同期して出力される付加データを含み、
シナリオ再生手段は、番組再生手段に対する再生指示によって当該番組再生手段にて再生される番組情報と同期してシナリオ情報に含まれる付加データを出力装置から出力する、
ことを特徴としている。
【００１４】
上記発明によると、複数の番組情報をシナリオ構成データに基づいて再生するため、既存の複数の番組情報を組み合わせた新たなコンテンツをユーザに提供することができる。このとき、かかる番組情報の再生に同期して付加データを出力装置から出力することにより、さらにコンテンツの内容の充実化を図ることができる。このように、複数の番組にて新たなコンテンツを構成しているため、録画した番組情報を有効利用することができ、ユーザにとって新たな番組を視聴する機会の増加を図ることができる。その結果、コンテンツを視聴するユーザの満足度の向上を図ることができる。
【００１５】
また、シナリオ構成データは、各番組情報の一部をそれぞれ組み合わせて再生するよう構成されたデータである、ことを特徴としている。これにより、多くの番組情報をシナリオに組み込むことができ、提供する新たなコンテンツの充実化、及び、ユーザに提供する情報の多様化を図ることができる。
【００１６】
また、シナリオ構成データは、特定のテーマに基づいて複数の番組情報を組み合わせて構成されたデータである、ことを特徴としている。これにより、ユーザの嗜好に合わせた新たなコンテンツを提供することができ、ユーザの満足度のさらなる向上を図ることができる。
【００１７】
また、付加データは、シナリオ構成データにて特定される番組情報の内容に対応したデータ、例えば、動画データである、ことを特徴としている。これにより、シナリオに沿って再生される番組情報に対応した付加データ、例えば、番組とは異なる動画データなど、が同期して再生されるため、よりコンテンツの充実化を図ることができる。
【００１８】
また、シナリオ構成データに基づいて再生されている番組情報を指定する番組指定情報の入力を受け付ける番組指定情報受付手段を備えると共に、
番組再生手段は、番組指定情報受付手段にて受け付けた番組指定情報にて指定される番組情報を番組情報記憶手段から読み出して当該番組情報のみを出力装置から再生する、
ことを特徴としている。
【００１９】
これにより、シナリオ構成に沿って再生されている番組をユーザが気になったときには、当該番組を指定する情報を入力することで、その番組のみが再生される。従って、ユーザの好みに応じて特定の番組のみをも視聴することができる。
【００２０】
また、番組情報を受信して番組情報記憶手段に蓄積する番組情報取得手段を備えた、ことを特徴としている。これにより、多くの番組情報を蓄積することができ、コンテンツの多様化を図ることができる。
【００２１】
また、シナリオ情報記憶手段に記憶されるシナリオ情報は、シナリオ構成データに含まれる放送予定の番組を指定する予定シナリオデータを含み、番組情報取得手段は、予定シナリオデータに基づいて番組情報を所定の番組提供装置から受信して蓄積する、ことを特徴としている。これにより、予定シナリオデータに基づいて番組情報が取得され、この取得された番組情報が用いられて新たなコンテンツが生成されるため、無駄なく番組録画を行うことができ、記憶容量の節約を図ることができる。
【００２２】
また、本発明の他の形態であるコンテンツ再生システムは、
上述したいずれかのコンテンツ再生装置と、当該コンテンツ再生装置にネットワークを介して接続されたシナリオ情報を蓄積すると共に配信するシナリオ配信サーバと、を備えたコンテンツ再生システムであって、
コンテンツ再生装置が、シナリオ配信サーバからシナリオ情報を取得してシナリオ情報記憶手段に記憶するシナリオ取得手段を備えた、
ことを特徴としている。
【００２３】
これにより、多種、及び、最新のシナリオ情報を取得して、これに基づいて番組情報を再生することができるため、コンテンツの充実化を図ることができる。
【００２４】
また、シナリオ情報は、シナリオ構成データに基づいて再生される内容を説明するシナリオ概要データを含むと共に、
シナリオ再生手段は、シナリオ概要データを出力装置から出力し、
コンテンツ再生装置が有するシナリオ取得手段は、シナリオ概要データと、シナリオ構成データ及び付加データと、をそれぞれ別々に取得する、
ことを特徴としている。
【００２５】
これにより、まず、シナリオ概要データを取得して出力し、これをユーザが見て実際に取得するシナリオを決定する。その後、この決定されたシナリオのシナリオ構成データ及び付加データを取得する。従って、ユーザの嗜好に合わせてシナリオ情報を取得することができ、無駄な通信を抑制することができる。
【００２６】
また、本発明の他の形態であるコンテンツ配信用プログラムは、
番組情報を記憶した番組情報記憶手段を備え、この記憶された前記番組情報を再生するコンテンツ再生装置に、
番組情報を所定の出力装置から再生する番組再生手段と、
複数の番組情報を組み合わせて再生するよう構成されたシナリオ構成データと、このシナリオ構成データによる番組情報の再生に同期して出力される付加データと、を含むシナリオ情報が記憶されたシナリオ情報記憶手段から前記シナリオ情報を読み出して、シナリオ構成データに基づいて番組情報記憶手段に記憶された番組情報を再生するよう番組再生手段に指示すると共に、当該再生指示によって番組再生手段にて再生される番組情報と同期してシナリオ情報に含まれる付加データを出力装置に出力するシナリオ再生手段と、
を実現するためのコンテンツ再生用プログラムである。
【００２７】
また、本発明の他の形態であるコンテンツ配信方法は、
番組情報を記憶した番組情報記憶手段と、この記憶された番組情報を所定の出力装置から再生する制御手段と、を備えたコンテンツ再生装置を用いたコンテンツ再生方法であって、
コンテンツ再生装置の制御手段が、
複数の番組情報を組み合わせて再生するよう構成されたシナリオ構成データと、このシナリオ構成データによる番組情報の再生に同期して出力される付加データと、を含むシナリオ情報が記憶されたシナリオ情報記憶手段からシナリオ情報を読み出して、シナリオ構成データに基づいて番組情報記憶手段に記憶された番組情報を再生すると共に、この再生される番組情報と同期してシナリオ情報に含まれる付加データを出力装置に出力する、
ことを特徴としている。
【００２８】
上記構成のプログラム、あるいは、方法であっても、上述したコンテンツ配信装置と同様に作用するため、上記本発明の目的を達成することができる。
【発明の効果】
【００２９】
本発明は、以上のように構成され機能するので、これによると、既存の複数の番組情報を用いた新たなコンテンツをユーザに提供することができ、従って、録画した番組情報を有効利用することができると共に、ユーザにとって新たな番組を視聴する機会の増加を図ることができ、その結果、コンテンツを視聴するユーザの満足度の向上を図ることができる、という従来にない優れた効果を有する。
【発明を実施するための最良の形態】
【００３０】
本発明は、録画した複数の番組情報を組み合わせてシナリオを構成して新たなコンテンツを生成し、ユーザに対して再生する、ことに特徴を有する。以下、具体的な構成を、実施例にて説明する。
【実施例１】
【００３１】
本発明の第１の実施例を、図１乃至図１７を参照して説明する。図１乃至図４は、本発明の構成を示す図である。図５乃至図７は、本発明で用いるデータの構造を説明する図である。図８乃至図１７は、本発明における動作を説明するための図である。
【００３２】
［構成］
図１は、本発明の全体構成を示すブロック図である。本発明は、主に、録画再生装置１（コンテンツ再生装置）にて構成されている。そして、この録画再生装置１には、録画した番組を再生する出力装置としてのテレビ５が接続されており、また、ネットワークＮを介してシナリオ配信サーバ６が接続されている。さらに、録画再生装置１は、アンテナを装備しており、放送局７から送信される番組情報を受信することができる。但し、録画再生装置１が受信する番組情報は、放送局７から電波によって送信されるものに限らず、ネットワークＮを介して当該ネットワークＮ上の他のコンピュータから配信される番組情報であってもよい。
【００３３】
そして、図２には、各構成１，５，６の関係を示す。この図に示すよう、録画再生装置１は放送局７から放送される番組を蓄積番組Ｐとして録画する。また、録画再生装置１は、シナリオ配信サーバ６からシナリオ構成データＳ２及び付加データＳ３を取得する。そして、蓄積番組Ｐに同期して、シナリオ構成データＳ２に含まれる蓄積番組情報及びテキスト、さらには、動画である付加データＳ３を、テレビ５に表示する（図２の符号５内の符号（ａ），（ｂ），（ｃ），（ｄ）参照）。以下、各装置等について詳述する。
【００３４】
＜録画再生装置＞
録画再生装置１は、例えば、ＨＤＤ（ハードディスクドライブ）を記憶装置３として備えたレコーダーであり、各家庭に出力装置であるテレビ５に接続されて設置されているものである。なお、記憶装置３は、ＨＤＤに限定されず、ＤＶＤなどの他の記憶装置にて構成されていてもよい。この録画再生装置１の構成を、図３を参照して説明する。
【００３５】
図３に示すように、録画再生装置１は、ＣＰＵなどの情報演算処理能力を有する演算装置２と、ＨＤＤやＤＶＤなどの所定の記憶容量を有する記憶装置３と、当該録画再生装置１に対して操作指示を入力するリモコンなどの操作部４と、を備えている。そして、演算装置２には、所定のプログラムが組み込まれることにより、録画処理部２１と、シナリオ取得処理部２２と、シナリオ再生処理部２３と、番組再生処理部２４と、出力処理部２５と、入力受付処理部２６と、が構築されている。また、記憶装置３には、番組情報記憶部３１と、シナリオ情報記憶部３５と、が構築されている。以下、各処理部２１〜２６、各記憶部３１，３５について詳述する。
【００３６】
録画処理部２１（番組情報取得手段）は、各テレビ放送局７から放送されるテレビ番組を図示しないアンテナで受信し、２４時間、あるいは、ユーザからの指示に基づいて、自動的に録画し続ける。すなわち、番組情報を、蓄積番組Ｐとして番組情報記憶部３１（番組情報記憶手段）内に形成された自動録画番組記憶部３２に、番組毎に一定期間保管するよう記憶する。なお、この自動録画番組記録部３２には、記録された蓄積番組Ｐが一定期間後に自動的に削除され、常に最近の放送番組が記録されている状態に保たれる。また、番組情報記憶部３１には、保管番組記録部３３が形成されているが、かかる記憶部３３には、自動録画された蓄積番組Ｐのうちユーザにて保管指示された番組が記録される。この記憶部３３に記録された蓄積番組Ｐは、演算装置２に対して明示的に削除指示が行われない限り削除されない。なお、保管番組記憶部３３は、ユーザが気に入った番組を保管したり、実施例２にて説明するように、予定シナリオデータにて指定される番組の記憶に使用される。
【００３７】
シナリオ取得処理部２２（シナリオ取得手段）は、シナリオ配信サーバ６が配信するシナリオ情報Ｓを取得する。ここで、シナリオ情報Ｓの構成を、図５乃至７に示す。まず、図５に示すように、シナリオ情報Ｓは、シナリオ概要データＳ１（Ｓ１ａ，Ｓ１ｂ，・・・）と、シナリオ構成データＳ２（Ｓ２ａ，Ｓ２ｂ，・・・）と、付加データＳ３（Ｓ３ａ，Ｓ３ｂ，・・・）と、を含んでいる。但し、シナリオ取得処理部２２は、シナリオ情報Ｓのうち、シナリオ概要データＳ１と、シナリオ構成データＳ２及び付加データＳ３とは、それぞれ別々に取得される。これについては後述する。
【００３８】
そして、上記シナリオ構成データＳ２は、上記番組情報記憶部３１に記憶された複数の蓄積番組Ｐを組み合わせて再生するよう構成されデータであり、特に、特定のテーマに沿ってテレビ番組の任意のシーン（一部）をつなぎ合わせるために、当該シーンを指定する時刻情報を含んでいる。具体的には、図７に示すデータ構造となっており、シナリオＩＤと、各シーンを特定するための時刻情報と、使用する付加データの一覧と、この付加データと各シーンとを同期再生するためのタイムライン情報と、が含まれる。そして、かかるデータに基づいて、後述するように、録画再生装置１のシナリオ再生処理部２３にて、蓄積番組と付加データとの同期再生が行われる。このように、付加データＳ３は、シナリオ構成された蓄積番組Ｐと共に同期して再生されるデータであり、シナリオ構成データＳ２に関連付けられている。ここで、付加データＳ３は、例えば、シナリオ構成データＳ２に基づいて再生される蓄積番組Ｐの各シーンの内容に対応したテキストデータや動画データなどのデータである。
【００３９】
また、シナリオ概要データＳ１は、シナリオ構成データＳ２に基づいて再生される内容を説明するデータである。従って、シナリオ概要データＳ１は、各シナリオ構成データＳ２に対応して用意されており、当該シナリオ構成データＳ２と同じＩＤが付与されて管理されている。具体的には、シナリオ概要データＳ１は図６に示す構造となっており、シナリオを識別するためのＩＤ（シナリオＩＤ）と、タイトル等のメタ情報と、シナリオの内容をつかめるようにするための各シーンの概要説明（シーン概要）と、このシナリオを視聴するために必要な番組のリスト（参照番組）と、により構成されている。
【００４０】
そして、上記シナリオ取得処理部２２は、ユーザからの操作に応じて、上記シナリオ情報Ｓを取得する。すなわち、図５に示すように、各録画再生装置１がシナリオ情報Ｓをシナリオ配信サーバ６から取得することとなる。但し、シナリオ取得処理部２２は、まず、シナリオ概要データＳ１をシナリオ配信サーバ６から取得し、シナリオ情報記憶部３５（シナリオ情報記憶手段）内に形成されたシナリオ概要記憶部３６に記憶する。このとき、シナリオ概要データＳ１は、複数が一つにまとめられた状態、すなわち、シナリオ概要のリストとして取得される（図５の符号Ｓ１ａ，Ｓ１ｂ）。なお、このシナリオ概要のリスト（一覧）は、後にシナリオ再生処理部２３にて出力処理部２５を介してテレビ５の画面上に表示される（図１０参照）。
【００４１】
また、シナリオ取得処理部２２は、上述したように表示されたシナリオ概要のリストから、ユーザが操作部４及び入力受付処理部２６を介して指定したシナリオ概要データＳ１に対応するシナリオ構成データＳ２を、シナリオ配信サーバ６から取得する。このとき、指定されたシナリオ概要データＳ１と同一のＩＤを有するシナリオ構成データＳ２及びこれに関連付けられている付加データＳ３を取得し、シナリオ情報記憶部３５に形成されているシナリオ記憶部３７に記憶する。例えば、図５の符号Ｓ２ａとＳ３ａとが関連付けられて取得される。
【００４２】
次に、シナリオ再生処理部２３（シナリオ再生手段）、及び、番組再生処理部２４（番組再生手段）について説明する。ここで、図８に、上記各再生処理部２３，２４によるテレビ５の表示画面の遷移状態を示し、これを参照して説明する。
【００４３】
シナリオ再生処理部２３は、ユーザから操作部４及び入力受付処理部２６を介して入力されるシナリオ再生指示を受け付けて、コンテンツを再生するよう作動する。具体的には、シナリオ概要の再生指示を受け付けた場合には、シナリオ概要記憶部３６からシナリオ概要データＳ１を読み出して、シナリオ概要のリスト（一覧）を表示するよう作動する（図８の符号（１）参照、図１０参照）。また、一覧表示されたシナリオ概要の中から、いずれかのシナリオが指定され当該シナリオ概要の再生指示を受け付けると、当該シナリオ概要を詳細に表示するよう作動する（図８の符号（２）参照、図１２参照）。さらに、シナリオ自体を再生する指示を受け付けた場合には、シナリオ記憶部３７に記憶されているシナリオ構成データＳ２及びこれに関連付けられている付加データＳ３を読み出すと共に、当該シナリオ構成データＳ２に再生されるよう組み込まれている蓄積番組Ｐの再生指示を番組再生処理部２４に通知する。
【００４４】
これを受けた番組再生処理部２４は、番組情報記憶部３１（３２，３３）からシナリオ構成データＳ２にて特定されている蓄積番組Ｐの該当時刻のシーンを読み出して、シナリオ構成データＳ２に基づいたタイミングで、テレビ５の画面上に出力処理部２５を介して出力する。
【００４５】
そして、上記シナリオ再生処理部２３は、番組再生処理部２４に対する再生指示によって当該番組再生処理部２４にて再生される蓄積番組Ｐと同期して、付加データＳ３であるテキストデータや動画データをテレビ５の画面に出力する（図８の符号（３）参照、図１４参照）。
【００４６】
さらに、上記番組再生処理部２４は、上述したように、シナリオに基づいて再生されている蓄積番組Ｐがユーザにて操作部４及び入力受付処理部２６を介して指定された場合に、当該指定された蓄積番組Ｐのデータを全て番組情報記憶部３１（３２，３３）から読み出して、当該蓄積番組Ｐのみをテレビ５に表示するよう作動する（図８の符号（４）参照、図１６参照）。
【００４７】
なお、出力処理部２５は、上述したように、シナリオ再生処理部２３及び番組再生処理部２４からの指示に基づいて、蓄積番組Ｐと付加データとをテレビ５に表示するよう出力制御する。また、入力受付処理部２６は、リモコンなどの操作部４に入力されたユーザの指示を、シナリオ取得処理部２２やシナリオ再生処理部２３、さらには、番組再生処理部２４に通知する。例えば、シナリオに基づいて再生されている蓄積番組Ｐを指定する指示を受け付けて番組再生処理部２４に通知するため、かかる場合には、番組指定情報受付手段として作動する。
【００４８】
＜シナリオ配信サーバ＞
次に、シナリオ配信サーバ６について、図４を参照して説明する。シナリオ配信サーバ６は、所定の事業者が運営するサーバコンピュータであって、演算装置６１と記憶装置６５とを備えている。そして、演算装置６１には、所定のプログラムが組み込まれることで、シナリオ蓄積処理部６２と、シナリオ概要送信処理部６３と、シナリオ送信処理部６４と、が構築されている。また、記憶装置６５には、シナリオ概要記憶部６６と、シナリオ記憶部６７と、が形成されている。以下、詳述する。
【００４９】
まず、シナリオ蓄積処理部６２は、事業者のオペレータにて、あるいは、他のネットワーク上の端末を介して入力されるシナリオ概要データＳ１、シナリオ構成データＳ２、付加データＳ３を受け付けて、記憶装置６５に記憶する。このとき、シナリオ概要データＳ１はシナリオ概要記憶部６６に蓄積され、シナリオ構成データＳ２及びこれに関連付けられている付加データＳ３はシナリオ記憶部６７に蓄積される。なお、これらのデータは、上述したとおりである。
【００５０】
また、シナリオ概要送信処理部６３は、録画再生装置１からの要求に応じて、シナリオ概要データＳ１を送信する。このとき、複数のシナリオ概要データＳ１をまとめて送信する。
【００５１】
また、シナリオ送信処理部６４は、録画再生装置１からの要求に応じて、指定されたシナリオ概要データＳ１に対応するシナリオ構成データＳ２及びこれに関連付けられた付加データＳ３を送信する。
【００５２】
［動作］
次に、上記構成における本発明の動作を、図９乃至１７を参照して説明する。図９乃至図１６は、各画面表示時の処理の様子及び表示画面を示す図である。具体的には、図９はシナリオ概要データを取得する際の動作を示す図であり、図１０はシナリオ概要データの一覧表示画面を示す図である。図１１はシナリオ概要を表示する際の動作を示す図であり、図１２はシナリオ概要の表示画面を示す図である。図１３は、シナリオ構成データの取得、及び、シナリオ再生時の様子を示す図であり、図１４は、シナリオ再生時の画面を示す図である。図１５はシナリオ構成データと表示画面との関係を示す図である。図１６は選択された蓄積番組の表示画面を示す図である。また、図１７は、録画再生装置１の動作を示すフローチャートである。以下では、主に、図１７のフローチャートに沿って説明する。
【００５３】
まず、録画再生装置１は、放送局７から放送される番組情報を受信し、これを番組情報記憶部３１に蓄積番組Ｐとして記憶する（ステップＳ１）。続いて、ユーザがシナリオ再生を希望し、操作部４にユーザからシナリオ一覧の取得要求がなされると、その旨の情報が入力受付処理部２６からシナリオ再生処理部２３に通知される（図９の矢印（１）参照）。すると、シナリオ取得処理部２２はシナリオ配信サーバ６に対してシナリオ概要データＳ１の取得を要求し、当該シナリオ配信サーバ６から取得してシナリオ概要記憶部３６に蓄積する。そして、シナリオ再生処理部２３にて、出力処理部２５を介してテレビ５にシナリオ概要データＳ１の一覧が表示される（ステップＳ２、図９の矢印（２），（３）参照）。すると、図１０に示すように、各シナリオ概要データＳ１に記述されているシナリオタイトルなどの一覧（シナリオ一覧画面）が表示される。
【００５４】
続いて、このシナリオ一覧画面に対して、ユーザが操作部４を操作して、任意のシナリオを選択すると、入力受付処理部２６はシナリオ再生処理部２３に特定のシナリオが選択されたことを通知する（図１１の矢印（１）参照）。すると、シナリオ再生処理部２３は、シナリオ概要データＳ１からシナリオ概要画面を作成し、出力処理部２５を介してテレビ５に表示させる（図１１の矢印（２），（３）参照）。このシナリオ概要画面の一例を図１２に示すが、この図に示すように、各シーンの概要など、シナリオ概要の情報が詳細に表示される。なお、この画面では、表示された各シーン概要を選択することでシーンを個別に視聴することも可能であるが、ここでは、シナリオをまとめて視聴する場合を説明する。すなわち、「シナリオをまとめて視聴する」旨のボタンが、ユーザにて操作部４を介して選択されるとする。
【００５５】
上記選択を受け付けた録画再生装置１すなわち入力受付処理部２６は（ステップＳ３）、その旨をシナリオ取得処理部２２に通知する（図１３の矢印（１）参照）。すると、シナリオ取得処理部２２は、選択されたシナリオ概要データＳ１に記述されているシナリオＩＤをシナリオ配信サーバ６に送信し、ＩＤが共通するシナリオ構成データＳ２を要求して取得し、シナリオ情報記憶部３５に記憶する（ステップＳ４、図１３の矢印（２）参照）。このとき、シナリオ取得処理部２２は、シナリオ構成データＳ２を解析し、シナリオ内に記述されている付加データ情報を元に、当該シナリオ構成データＳ２に関連付けられている全ての付加データＳ３をシナリオ配信サーバ６から取得し（ステップＳ４、図１３の矢印（３）参照）、シナリオ情報記憶部３５に記憶する。
【００５６】
その後、シナリオ取得処理部２２は、シナリオ再生処理部２３にシナリオ再生の指示を出す（図１３の矢印（４）参照）。すると、シナリオ再生処理部２３がシナリオ再生を開始する（ステップＳ５）。なお、シナリオ再生は、操作部４に入力されたユーザからのシナリオ再生指示により開始されてもよい。そして、シナリオ再生処理部２３は、シナリオ構成データＳ２を解析し、番組再生処理部２４への蓄積番組Ｐの再生を指示すると共に（図１３の矢印（６），（７）参照）、かかる蓄積番組Ｐに同期して付加データＳ３の再生を行う（図１３の矢印（５）参照）。すると、シナリオ再生の結果が、出力処理部２５によってテレビ５に出力される（図１３の矢印（８）参照）。
【００５７】
ここで、図１４（ａ），（ｂ）に、シナリオ視聴画面の一例を示す。この図に示すように、テレビ５の画面には、蓄積番組Ｐと、シナリオ構成データＳ２による蓄積番組の指定情報Ｄ１と、動画による付加データＳ３と、シナリオ構成データＳ２に含まれるテキストデータＤ２と、が表示される。なお、この図においては、シナリオに基づいて（ａ）から（ｂ）に画面が遷移した場合を示している。
【００５８】
また、図１５に、シナリオ構成データＳ２とシナリオ視聴画面（テレビ５の画面）との対応関係を示す。この図に示すように、シナリオ構成データＳ２に基づいて、表示される蓄積番組Ｐや付加データが遷移する。
【００５９】
なお、シナリオ視聴中に、表示されている蓄積番組Ｐに興味を持ったユーザは、操作部４からその蓄積番組Ｐを指定する（ステップＳ６にて肯定判断）。すると、この蓄積番組Ｐを指定する旨の情報が番組再生処理部２４に通知され、当該番組再生処理部２４にてその蓄積番組Ｐのみの再生が行われる。すなわち、番組情報記憶部３１から蓄積番組Ｐの全てを読み出し、テレビ５画面に再生する。図１６に、この蓄積番組Ｐ自体の視聴画面に遷移した状態を示す。
【００６０】
このようにすることにより、既存の複数の蓄積番組を組み合わせた新たなコンテンツをユーザに提供することができ、このとき、かかる番組情報の再生に同期して付加データを出力装置から出力することにより、コンテンツの内容の充実化を図ることができる。従って、複数の番組にて新たなコンテンツを構成しているため、録画した番組情報を有効利用することができ、ユーザにとって新たな番組を視聴する機会の増加を図ることができる。その結果、コンテンツを視聴するユーザの満足度の向上を図ることができる。
【００６１】
また、ユーザはシナリオ構成に沿って再生されている番組を指定することにより、その番組のみが再生されるため、ユーザの好みに応じて特定の番組のみをも視聴することができ、利便性の向上を図ることができる。
【実施例２】
【００６２】
次に、本発明の第２の実施例を、図１８乃至図２０を参照して説明する。図１８は、予定シナリオデータに基づいて番組情報を録画する際の動作を示す説明図であり、図１９は、予約シナリオデータの表示画面を示す図である。また、図２０は、本実施例における録画再生装置の動作の一部を示すフローチャートである。
【００６３】
［構成］
本実施例では、図１８に示すように、シナリオ配信サーバ６が提供し、録画再生装置１のシナリオ取得処理部２２にて取得されるシナリオ情報Ｓに、シナリオ構成データＳ２に含まれる放送予定の番組を指定する予定シナリオデータＳ４が含まれている。この予定シナリオデータＳ４は、上述したシナリオ概要データＳ１（図６参照）と同様の構成をしており、「シナリオＩＤ」、「タイトル」、「概要説明文」などのシナリオ自体のメタ情報と、このシナリオで使用する予定の「参照番組リスト」が記述されている。但し、予定シナリオデータには、「シーン概要」は記述されていない。これは、予定シナリオデータにて指定されている番組が放送された後にシーンの概要が明らかになるため、当該予定シナリオデータには含まれず、後に配信されるシナリオ概要データＳ１に含まれる。
【００６４】
そして、上述したように予定シナリオデータＳ４を取得した録画再生装置１は、録画処理部２１にて、予定シナリオデータＳ４に含まれる参照番組リストに基づいて、放送局７やその他の番組配信設備から放送される番組情報を録画し、保管番組記録部３３に蓄積する。
【００６５】
その後、この保存された蓄積番組Ｐに基づいたシナリオ概要データＳ１、シナリオ構成データＳ２、付加データＳ３が、シナリオ配信サーバ６から配信されるので、これを取得し、上述同様にシナリオ再生を行う。なお、シナリオ概要データＳ１は配信されなくてもよく、後にシナリオ構成データのみが配信されて、シナリオ再生に用いられてもよい。
【００６６】
［動作］
次に、本実施例における動作を、図２０のフローチャートを参照して説明する。まず、ユーザがシナリオ予約を希望すると、シナリオ取得処理部２２にてシナリオ配信サーバ６から予定シナリオデータＳ４が取得され、シナリオ情報記憶部３５内に記憶される（ステップＳ１１）。
【００６７】
その後、この予定シナリオデータＳ４は、図１９に示すようにテレビ５画面に表示される。これに対して、ユーザが予定シナリオを視聴予約する場合には、操作部４からシナリオ予約の指令を入力する（図１８の矢印（１）参照）。すると、シナリオ再生処理部２３は、予定シナリオデータＳ４に基づいて当該予定シナリオに含まれる番組の録画予約を行うよう録画処理部２１に指示する（図１８の矢印（２），（３）参照）。
【００６８】
そして、録画処理部２１は、予定シナリオデータＳ４に記述されている参照予定番組リスト上の全テレビ番組を、保存予約または保存する（ステップＳ１２，Ｓ１３）。このとき、録画処理部２１は、通常は自動録画番組記録部３２に録画、記録するが、保存予約された番組については保管番組記録部３３に記録する。なお、既に放送されている番組については、自動録画番組記録部３２から、保管番組記録部３３へ保存処理を行う。
【００６９】
これにより、シナリオ再生に用いられる予定の蓄積番組Ｐが保存されるため、その後、図１７のステップＳ２以降の処理を行うことで、シナリオ再生を実現することができる。なお、シナリオ概要データＳ１やシナリオ構成データＳ２は、予定シナリオに含まれる全番組放送後に、業者によって作成され、配信される。
【００７０】
ここで、例えば、予定シナリオに基づく蓄積番組Ｐは、全て保管番組記録部３３に記録されるが、かかる記憶部３３内のデータは、ユーザからの削除指令がない限り保管される。これにより、例えば、自動録画番組記憶部３２の保存期間が１週間である場合には、保管番組記録部３３を用いることにより、１週間以上の期間にわたって放送される番組同士を使用するシナリオを視聴することが可能になる。
【産業上の利用可能性】
【００７１】
本発明は、蓄積した番組情報をカスタマイズして再生するＨＤＤレコーダーとして利用することができ、産業上の利用可能性を有する。
【図面の簡単な説明】
【００７２】
【図１】本発明の全体構成を示すブロック図である。
【図２】図２には、各構成１，５，６の関係を示す。
【図３】録画再生装置の構成を示す機能ブロック図である。
【図４】シナリオ配信サーバの構成を示す機能ブロック図である。
【図５】シナリオ情報の構成を示す説明図である。
【図６】シナリオ概要データの構成を示す図である。
【図７】シナリオ構成データの構成を示す図である。
【図８】テレビの表示画面の遷移状態を示す図である。
【図９】シナリオ概要データを取得する際の動作を示す図である。
【図１０】シナリオ概要データの一覧表示画面を示す図である。
【図１１】シナリオ概要を表示する際の動作を示す図である。
【図１２】シナリオ概要の表示画面を示す図である。
【図１３】シナリオ構成データの取得、及び、シナリオ再生時の様子を示す図である。
【図１４】図１４（ａ），（ｂ）は、それぞれシナリオ再生時の表示画面を示す図である。
【図１５】シナリオ構成データと表示画面との関係を示す図である。
【図１６】シナリオ再生時に選択された蓄積番組の表示画面を示す図である。
【図１７】録画再生装置の動作を示すフローチャートである。
【図１８】予定シナリオデータに基づいて番組情報を録画する際の動作を示す説明図である。
【図１９】予約シナリオデータの表示画面を示す図である。
【図２０】実施例２における録画再生装置の動作の一部を示すフローチャートである。
【符号の説明】
【００７３】
１  録画再生装置（コンテンツ再生装置）
２  演算装置
３  記憶装置
４  操作部
５  テレビ（出力装置）
６  シナリオ配信サーバ
７  放送局（番組提供装置）
２１  録画処理部（番組情報取得手段）
２２  シナリオ取得処理部（シナリオ取得手段）
２３  シナリオ再生処理部（シナリオ再生手段）
２４  番組再生装置（番組再生手段）
２５  出力処理部
２６  入力受付処理部
３１  番組情報記憶部（番組情報記憶手段）
３２  自動録画番組記憶部
３３  保管番組記憶部
３５  シナリオ情報記憶部（シナリオ情報記憶手段）
３６  シナリオ概要記憶部
３７  シナリオ記憶部
６２  シナリオ蓄積処理部
６３  シナリオ概要送信処理部
６４  シナリオ送信処理部
６６  シナリオ概要記憶部
６７  シナリオ記憶部
Ｐ  蓄積番組
Ｓ  シナリオ情報
Ｓ１  シナリオ概要データ
Ｓ２  シナリオ構成データ
Ｓ３  付加データ
Ｓ４  予定シナリオデータ
Ｎ  ネットワーク
【図１】
2006221693.tif 000003
【図２】
2006221693.tif 000004
【図３】
2006221693.tif 000005
【図４】
2006221693.tif 000006
【図５】
2006221693.tif 000007
【図６】
2006221693.tif 000008
【図７】
2006221693.tif 000009
【図８】
2006221693.tif 000010
【図９】
2006221693.tif 000011
【図１０】
2006221693.tif 000012
【図１１】
2006221693.tif 000013
【図１２】
2006221693.tif 000014
【図１３】
2006221693.tif 000015
【図１４】
2006221693.tif 000016
【図１５】
2006221693.tif 000017
【図１６】
2006221693.tif 000018
【図１７】
2006221693.tif 000019
【図１８】
2006221693.tif 000020
【図１９】
2006221693.tif 000021
【図２０】
2006221693.tif 000022